(57)【特許請求の範囲】
【請求項１】
放送番組の番組データを受信する放送受信手段と、
前記放送受信手段により受信した番組データを記憶する放送番組蓄積手段と、
前記受信した番組データと対応する番組付加情報を記憶する番組付加情報蓄積手段と、
個々のユーザ毎に、番組の録画予約と、必要とする番組付加情報の種別を示す所要番組付加情報と、を記憶するユーザ情報データベースと、
個々のユーザ毎に、番組データ及びその番組付加情報を記憶するユーザ別保有番組データベースと、
前記ユーザ情報データベースに記憶された録画予約と対応する番組データを前記放送番組蓄積手段から取得する予約番組データ取得手段と、
前記ユーザ情報データベースに記憶された録画予約と対応し、且つ、前記ユーザ情報データベースに記憶された所要番組付加情報と対応する番組付加情報を前記番組付加情報蓄積手段から取得する予約番組付加情報取得手段と、
前記予約番組データ取得手段により取得した番組データと、前記予約番組付加情報取得手段により取得した番組付加情報と、を前記ユーザ別保有番組データベースに格納する番組格納手段と、
を備えることを特徴とする番組録画装置。
【請求項２】
前記ユーザ情報データベースにおける録画予約の記憶管理を行う録画予約記憶管理手段を備え、
前記録画予約記憶管理手段は、ユーザ端末からの要求に応じて、録画予約を前記ユーザ情報データベースに記憶させることを特徴とする請求項１に記載の番組録画装置。
【請求項３】
前記ユーザ情報データベースにおける所要番組付加情報の記憶管理を行う所要番組付加情報記憶管理手段を備え、
前記所要番組付加情報記憶管理手段は、ユーザ端末からの要求に応じて、所要番組付加情報を前記ユーザ情報データベースに記憶させることを特徴とする請求項１又は２に記載の番組録画装置。
【請求項４】
前記ユーザ情報データベースに記憶されている録画予約のうち、当該録画予約と対応する番組データ及び番組付加情報を前記ユーザ別保有番組データベースに記憶済みの録画予約を、前記ユーザ情報データベースから削除する録画済み予約削除手段を備えることを特徴とする請求項１乃至３のいずれか一項に記載の番組録画装置。
【請求項５】
前記ユーザ別保有番組データベースに記憶された番組データ及びその番組付加情報を、ユーザ端末からの要求に応じて該ユーザ端末に送信する番組データ送信手段を更に備えることを特徴とする請求項１乃至４のいずれか一項に記載の番組録画装置。
【請求項６】
前記ユーザ情報データベースは、前記ユーザ別保有番組データベースに記憶された番組データのリストであるユーザ別保有番組リストデータを更に記憶し、
当該番組録画装置は、ユーザ端末からの要求に応じて前記ユーザ別保有番組リストデータを該ユーザ端末に送信する保有番組リスト送信手段を備えることを特徴とする請求項５に記載の番組録画装置。
【請求項７】
前記放送番組蓄積手段及び前記番組付加情報蓄積手段を備える第１部分と、
前記ユーザ情報データベース及び前記ユーザ別保有番組データベースを備える第２部分と、
前記予約番組データ取得手段、前記予約番組付加情報取得手段、及び前記番組格納手段を備える第３部分とが、
相互にネットワークを介して接続されていることを特徴とする請求項１乃至６のいずれか一項に記載の番組録画装置。
【請求項８】
前記放送番組蓄積手段及び前記番組付加情報蓄積手段を備える第１部分と、
前記ユーザ情報データベース、前記ユーザ別保有番組データベース、前記予約番組データ取得手段、前記予約番組付加情報取得手段、及び前記番組格納手段を備える第２部分とが、
相互にネットワークを介して接続されていることを特徴とする請求項１乃至６のいずれか一項に記載の番組録画装置。
【請求項９】
前記第２部分を複数備え、
前記第１部分は、複数の前記第２部分とネットワークを介して接続されていることを特徴とする請求項８に記載の番組録画装置。
【請求項１０】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける録画予約の記憶管理を行う録画予約記憶管理手段と、を備え、前記録画予約記憶管理手段はユーザ端末からの登録要求に応じて録画予約を前記ユーザ情報データベースに記憶させる番組録画装置に対し、
録画予約の登録要求を送信することが可能であることを特徴とするユーザ端末。
【請求項１１】
前記番組録画装置は、前記ユーザ情報データベースにおける所要番組付加情報の記憶管理を行う所要番組付加情報記憶管理手段を備え、前記所要番組付加情報記憶管理手段はユーザ端末からの登録要求に応じて所要番組付加情報を前記ユーザ情報データベースに記憶させ、
当該ユーザ端末は、前記番組録画装置に対し、所要番組付加情報の登録要求を送信することが可能であることを特徴とする請求項１０に記載のユーザ端末。
【請求項１２】
前記番組録画装置は、前記ユーザ別保有番組データベースに記憶された番組データ及びその番組付加情報を、ユーザ端末からの送信要求に応じて該ユーザ端末に送信する番組データ送信手段を備え、
当該ユーザ端末は、前記番組録画装置に対し、番組データ及びその番組付加情報の送信要求を送ることが可能であることを特徴とする請求項１０又は１１に記載のユーザ端末。
【請求項１３】
前記番組録画装置の前記ユーザ情報データベースは、前記ユーザ別保有番組データベースに記憶された番組データのリストであるユーザ別保有番組リストデータを更に記憶し、
前記番組録画装置は、
ユーザ端末からの送信要求に応じて前記ユーザ別保有番組リストデータを該ユーザ端末に送信する保有番組リスト送信手段と、
前記ユーザ別保有番組データベースに記憶された番組データ及びその番組付加情報を、ユーザ端末からの送信要求に応じて該ユーザ端末に送信する番組データ送信手段と、
を備え、
当該ユーザ端末は、前記番組録画装置に対し、前記ユーザ別保有番組リストデータの送信要求を送ることが可能であり、前記番組録画装置から受信したユーザ別保有番組リストデータに含まれる番組データ及びその番組付加情報の送信要求を送ることが可能であることを特徴とする請求項１０又は１１に記載のユーザ端末。
【請求項１４】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける所要番組付加情報の記憶管理を行う所要番組付加情報記憶管理手段と、を備え、前記所要番組付加情報記憶管理手段はユーザ端末からの登録要求に応じて所要番組付加情報を前記ユーザ情報データベースに記憶させる番組録画装置に対し、
所要番組付加情報の登録要求を送信することが可能であることを特徴とするユーザ端末。
【請求項１５】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備える番組録画装置に対し、
番組データ及びその番組付加情報の送信要求を送ることが可能であることを特徴とするユーザ端末。
【請求項１６】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの要求に応じて該ユーザ端末に送信する番組データ送信手段と、を備え、前記ユーザ情報データベースは前記ユーザ別保有番組データベースに記憶された番組データのリストであるユーザ別保有番組リストデータを更に記憶し、ユーザ端末からの送信要求に応じて前記ユーザ別保有番組リストデータを該ユーザ端末に送信する保有番組リスト送信手段を備える番組録画装置に対し、
前記ユーザ別保有番組リストデータの送信要求を送ることが可能であり、前記番組録画装置から受信したユーザ別保有番組リストデータに含まれる番組データ及びその番組付加情報の送信要求を送ることが可能であることを特徴とするユーザ端末。
【請求項１７】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける録画予約の記憶管理を行う録画予約記憶管理手段と、を備え、前記録画予約記憶管理手段はユーザ端末からの登録要求に応じて録画予約を前記ユーザ情報データベースに記憶させる番組録画装置と、
前記番組録画装置に対して録画予約の登録要求を送信することが可能であるユーザ端末と、
を備えることを特徴とする番組録画システム。
【請求項１８】
前記番組録画装置は、前記ユーザ情報データベースにおける所要番組付加情報の記憶管理を行う所要番組付加情報記憶管理手段を備え、前記所要番組付加情報記憶管理手段はユーザ端末からの登録要求に応じて所要番組付加情報を前記ユーザ情報データベースに記憶させ、
前記ユーザ端末は、前記番組録画装置に対し、所要番組付加情報の登録要求を送信することが可能であることを特徴とする請求項１７に記載の番組録画システム。
【請求項１９】
前記番組録画装置は、前記ユーザ別保有番組データベースに記憶された番組データ及びその番組付加情報を、ユーザ端末からの送信要求に応じて該ユーザ端末に送信する番組データ送信手段を備え、
前記ユーザ端末は、前記番組録画装置に対し、番組データ及びその番組付加情報の送信要求を送ることが可能であることを特徴とする請求項１７又は１８に記載の番組録画システム。
【請求項２０】
前記番組録画装置の前記ユーザ情報データベースは、前記ユーザ別保有番組データベースに記憶された番組データのリストであるユーザ別保有番組リストデータを更に記憶し、
前記番組録画装置は、
ユーザ端末からの送信要求に応じて前記ユーザ別保有番組リストデータを該ユーザ端末に送信する保有番組リスト送信手段と、
前記ユーザ別保有番組データベースに記憶された番組データ及びその番組付加情報を、ユーザ端末からの送信要求に応じて該ユーザ端末に送信する番組データ送信手段と、
を備え、
前記ユーザ端末は、前記番組録画装置に対し、前記ユーザ別保有番組リストデータの送信要求を送ることが可能であり、前記番組録画装置から受信したユーザ別保有番組リストデータに含まれる番組データ及びその番組付加情報の送信要求を送ることが可能であることを特徴とする請求項１７又は１８に記載の番組録画システム。
【請求項２１】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける所要番組付加情報の記憶管理を行う所要番組付加情報記憶管理手段と、を備え、前記所要番組付加情報記憶管理手段はユーザ端末からの登録要求に応じて所要番組付加情報を前記ユーザ情報データベースに記憶させる番組録画装置と、
前記番組録画装置に対して所要番組付加情報の登録要求を送信することが可能であるユーザ端末と、
を備えることを特徴とする番組録画システム。
【請求項２２】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備える番組録画装置と、
前記番組録画装置に対して番組データ及びその番組付加情報の送信要求を送ることが可能であるユーザ端末と、
を備えることを特徴とする番組録画システム。
【請求項２３】
放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備え、前記ユーザ情報データベースは前記ユーザ別保有番組データベースに記憶された番組データのリストであるユーザ別保有番組リストデータを更に記憶し、ユーザ端末からの送信要求に応じて前記ユーザ別保有番組リストデータを該ユーザ端末に送信する保有番組リスト送信手段を備える番組録画装置と、
前記番組録画装置に対し、前記ユーザ別保有番組リストデータの送信要求を送ることが可能であり、前記番組録画装置から受信したユーザ別保有番組リストデータに含まれる番組データ及びその番組付加情報の送信要求を送ることが可能であるユーザ端末と、
を備えることを特徴とする番組録画システム。
【請求項２４】
放送番組の番組データを受信する第１の過程と、
前記第１の過程により受信した番組データを放送番組蓄積手段に記憶させる第２の過程と、
前記受信した番組データと対応する番組付加情報を番組付加情報蓄積手段に記憶させる第３の過程と、
個々のユーザ毎に、番組の録画予約と、必要とする番組付加情報の種別を示す所要番組付加情報と、をユーザ情報データベースに記憶させる第４の過程と、
前記ユーザ情報データベースに記憶された録画予約と対応する番組データを前記放送番組蓄積手段から取得する第５の過程と、
前記ユーザ情報データベースに記憶された録画予約と対応し、且つ、前記ユーザ情報データベースに記憶された所要番組付加情報と対応する番組付加情報を前記番組付加情報蓄積手段から取得する第６の過程と、
前記第５の過程により取得した番組データと、前記第６の過程により取得した番組付加情報と、をユーザ別保有番組データベースに格納する第７の過程と、
を備えることを特徴とする番組録画方法。
【請求項２５】
受信した番組データを放送番組蓄積手段に記憶する第１の処理と、
前記受信した番組データと対応する番組付加情報を番組付加情報蓄積手段に記憶する第２の処理と、
ユーザ毎の録画予約と対応する番組データを前記放送番組蓄積手段から取得する第３の処理と、
個々のユーザ毎に、番組の録画予約と、必要とする番組付加情報の種別を示す所要番組付加情報と、をユーザ情報データベースに記憶させる第４の処理と、
前記ユーザ情報データベースに記憶された録画予約と対応する番組データを前記放送番組蓄積手段から取得する第５の処理と、
前記ユーザ情報データベースに記憶された録画予約と対応し、且つ、前記ユーザ情報データベースに記憶された所要番組付加情報と対応する番組付加情報を前記番組付加情報蓄積手段から取得する第６の処理と、
前記第５の処理により取得した番組データと、前記第６の処理により取得した番組付加情報と、をユーザ別保有番組データベースに格納する第７の処理と、
をコンピュータに実行させるプログラム。
【発明の詳細な説明】
【技術分野】
【０００１】
本発明は、番組録画装置、ユーザ端末、番組録画システム、番組録画方法及びその記録媒体に関する。
【背景技術】
【０００２】
ネットワークを介した放送番組録画に関する先行技術文献としては、例えば、特許文献１、２がある。【０００３】
特許文献１には、放送されている番組を蓄積する番組蓄積手段と、蓄積すべき番組を決定し該番組の蓄積手段への蓄積を制御する録画予約手段と、蓄積されている番組を複数のユーザに送出する番組送出手段と、を備え、送出すべき番組を複数のユーザから受け付ける番組録画装置であって、インターネットを介して複数のユーザから録画予約を受け付ける番組録画装置が開示されている。【０００４】
また、特許文献２には、ユーザ数の増加に起因して蓄積手段の記憶容量を圧迫してしまうことを回避するために、複数のユーザが同一の番組を録画する場合に、そのユーザ間でファイルを共有することにより、記憶容量の効率化を図る技術が開示されている。
【特許文献１】特許第３５５１９２１号公報
【特許文献２】特開２００４−１６６１８９号公報
【発明の開示】
【発明が解決しようとする課題】
【０００５】
しかしながら、特許文献１、２の技術では、次のような課題があった。【０００６】
第１の課題は、一般に、放送番組には、番組の出演者、あらすじ、撮影場所などといった番組に関する多くの情報が番組付加情報として提供されるが、特許文献１、２の技術では、個々のユーザが必要とする情報のみ、例えば出演者に関わる情報のみを選択し保存しておくことができず、ユーザは必要のない情報を含む多くの付加情報の中から必要とする情報を探す必要があった。その理由は、複数のユーザで録画番組を共有保存するため、同一の番組を共有するユーザ間では保有する付加情報も共通となってしまうためである。【０００７】
第２の課題は、ユーザ毎に好みの番組を保存することができないということである。その理由は、複数のユーザで録画番組を期限付きで共有保存するためである。【０００８】
本発明は、上記のような課題の少なくとも何れかを解決する番組録画装置、ユーザ端末、番組録画システム、番組録画方法及びその記録媒体を提供することを目的とする。
【課題を解決するための手段】
【０００９】
上記課題を解決するため、本発明の番組録画装置は、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に、番組の録画予約と、必要とする番組付加情報の種別を示す所要番組付加情報と、を記憶するユーザ情報データベースと、個々のユーザ毎に、番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し、且つ、前記ユーザ情報データベースに記憶された所要番組付加情報と対応する番組付加情報を前記番組付加情報蓄積手段から取得する予約番組付加情報取得手段と、前記予約番組データ取得手段により取得した番組データと、前記予約番組付加情報取得手段により取得した番組付加情報と、を前記ユーザ別保有番組データベースに格納する番組格納手段と、を備えることを特徴としている。【００１０】
本発明のユーザ端末は、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける録画予約の記憶管理を行う録画予約記憶管理手段と、を備え、前記録画予約記憶管理手段はユーザ端末からの登録要求に応じて録画予約を前記ユーザ情報データベースに記憶させる番組録画装置に対し、録画予約の登録要求を送信することが可能であることを特徴としている。【００１１】
本発明のユーザ端末は、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける所要番組付加情報の記憶管理を行う所要番組付加情報記憶管理手段と、を備え、前記所要番組付加情報記憶管理手段はユーザ端末からの登録要求に応じて所要番組付加情報を前記ユーザ情報データベースに記憶させる番組録画装置に対し、所要番組付加情報の登録要求を送信することが可能であることを特徴としている。【００１２】
本発明のユーザ端末は、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備える番組録画装置に対し、番組データ及びその番組付加情報の送信要求を送ることが可能であることを特徴としている。【００１３】
本発明のユーザ端末は、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの要求に応じて該ユーザ端末に送信する番組データ送信手段と、を備え、前記ユーザ情報データベースは前記ユーザ別保有番組データベースに記憶された番組データのリストであるユーザ別保有番組リストデータを更に記憶し、ユーザ端末からの送信要求に応じて前記ユーザ別保有番組リストデータを該ユーザ端末に送信する保有番組リスト送信手段を備える番組録画装置に対し、前記ユーザ別保有番組リストデータの送信要求を送ることが可能であり、前記番組録画装置から受信したユーザ別保有番組リストデータに含まれる番組データ及びその番組付加情報の送信要求を送ることが可能であることを特徴としている。【００１４】
本発明の番組録画システムは、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける録画予約の記憶管理を行う録画予約記憶管理手段と、を備え、前記録画予約記憶管理手段はユーザ端末からの登録要求に応じて録画予約を前記ユーザ情報データベースに記憶させる番組録画装置と、前記番組録画装置に対して録画予約の登録要求を送信することが可能であるユーザ端末と、を備えることを特徴としている。【００１５】
本発明の番組録画システムは、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ情報データベースにおける所要番組付加情報の記憶管理を行う所要番組付加情報記憶管理手段と、を備え、前記所要番組付加情報記憶管理手段はユーザ端末からの登録要求に応じて所要番組付加情報を前記ユーザ情報データベースに記憶させる番組録画装置と、前記番組録画装置に対して所要番組付加情報の登録要求を送信することが可能であるユーザ端末と、を備えることを特徴としている。【００１６】
本発明の番組録画システムは、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備える番組録画装置と、前記番組録画装置に対して番組データ及びその番組付加情報の送信要求を送ることが可能であるユーザ端末と、を備えることを特徴としている。【００１７】
本発明の番組録画システムは、放送番組の番組データを受信する放送受信手段と、前記放送受信手段により受信した番組データを記憶する放送番組蓄積手段と、前記受信した番組データと対応する番組付加情報を記憶する番組付加情報蓄積手段と、個々のユーザ毎に番組の録画予約と必要とする番組付加情報の種別を示す所要番組付加情報とを記憶するユーザ情報データベースと、個々のユーザ毎に番組データ及びその番組付加情報を記憶するユーザ別保有番組データベースと、前記ユーザ情報データベースに記憶された録画予約と対応する番組データを前記放送番組蓄積手段から取得する予約番組データ取得手段と、前記ユーザ情報データベースに記憶された録画予約と対応し且つ前記ユーザ情報データベースに記憶された所要番組付加情報と対応する番組付加情報を前記番組付加情報蓄積手段から取得する予約番組付加情報取得手段と、前記予約番組データ取得手段により取得した番組データと前記予約番組付加情報取得手段により取得した番組付加情報とを前記ユーザ別保有番組データベースに格納する番組格納手段と、前記ユーザ別保有番組データベースに記憶された番組データ及びその番組付加情報をユーザ端末からの送信要求に応じて該ユーザ端末に送信する番組データ送信手段と、を備え、前記ユーザ情報データベースは前記ユーザ別保有番組データベースに記憶された番組データのリストであるユーザ別保有番組リストデータを更に記憶し、ユーザ端末からの送信要求に応じて前記ユーザ別保有番組リストデータを該ユーザ端末に送信する保有番組リスト送信手段を備える番組録画装置と、前記番組録画装置に対し、前記ユーザ別保有番組リストデータの送信要求を送ることが可能であり、前記番組録画装置から受信したユーザ別保有番組リストデータに含まれる番組データ及びその番組付加情報の送信要求を送ることが可能であるユーザ端末と、を備えることを特徴としている。【００１８】
本発明の番組録画方法は、放送番組の番組データを受信する第１の過程と、前記第１の過程により受信した番組データを放送番組蓄積手段に記憶させる第２の過程と、前記受信した番組データと対応する番組付加情報を番組付加情報蓄積手段に記憶させる第３の過程と、ユーザ毎の録画予約と対応する番組データを前記放送番組蓄積手段から取得する第４の過程と、前記ユーザ毎の録画予約と対応する番組付加情報のうち、当該録画予約と対応するユーザが必要とする番組付加情報を前記番組付加情報蓄積手段から取得する第５の過程と、前記第４の過程により取得した番組データと、前記第５の過程により取得した番組付加情報と、をユーザ毎にユーザ別保有番組データベースに格納する第６の過程と、を備えることを特徴としている。【００１９】
本発明の記録媒体は、受信した番組データを放送番組蓄積手段に記憶する第１の処理と、前記受信した番組データと対応する番組付加情報を番組付加情報蓄積手段に記憶する第２の処理と、ユーザ毎の録画予約と対応する番組データを前記放送番組蓄積手段から取得する第３の処理と、前記ユーザ毎の録画予約と対応する番組付加情報のうち、当該録画予約と対応するユーザが必要とする番組付加情報を前記番組付加情報蓄積手段から取得する第４の処理と、前記第３の処理により取得した番組データと、前記第４の処理により取得した番組付加情報と、をユーザ毎にユーザ別保有番組データベースに格納する第５の処理と、をコンピュータに実行させるプログラムを格納することを特徴としている。
【発明の効果】
【００２０】
本発明によれば、個々のユーザ毎の録画予約と対応する番組データを、ユーザ毎にユーザ別保有番組データベースに記憶させることができる。しかも、その録画予約と対応する番組データの番組付加情報のうち、ユーザ毎の所要番組付加情報と対応する番組付加情報を、ユーザ毎にユーザ別保有番組データベースに記憶させることができる。よって、個々のユーザが必要とする番組データのみを保存することができ、しかも個々のユーザが必要とする番組付加情報のみを選択的に保存することができる。
【図面の簡単な説明】
【００２１】
【図１】第１の実施形態に係る番組録画システムの構成を示すブロック図である。
【図２】基本設定データベースの記憶内容の一例を示す図である。
【図３】ユーザ別録画予約番組リストデータの一例を示す図である。
【図４】ユーザ別保有番組リストデータの一例を示す図である。
【図５】ユーザが番組の録画予約を行う際の処理の流れを示すフローチャートである。
【図６】ユーザ端末において表示されるメニュー画面の一例を示す図である。
【図７】録画予約に応じて番組データ及び付加情報をユーザ別保有番組データベースに格納する動作の流れを示すフローチャートである。
【図８】ユーザ端末において番組を再生する処理の流れを示すフローチャートである。
【図９】第１の実施形態に係る番組録画装置の構成を示すブロック図である。
【図１０】第２の実施形態に係る番組録画システムの構成を示すブロック図である。
【図１１】第３の実施形態に係る番組録画システムの構成を示すブロック図である。
【図１２】第４の実施形態に係る番組録画システムの構成を示すブロック図である。
【符号の説明】
【００２２】
１０  番組録画装置
２０  ユーザ端末群
３０  ネットワーク
１００  番組録画システム
１１１  放送受信記録手段（放送受信手段）
１１３  蓄積番組データベース（放送番組蓄積手段）
１１４  番組表情報データベース
１１５  番組付加情報データベース（番組付加情報蓄積手段）
１２０  ユーザ制御部
１２１  ユーザ別保有番組データベース
１２１ａ  ユーザ別保有番組データ
１２１ｂ  ユーザ別保有番組データ
１２２  ユーザ管理手段（所要番組付加情報記憶管理手段、保有番組リスト送信手段、番組データ送信手段）
１２３  番組予約制御手段（録画予約記憶管理手段、保有番組リスト送信手段、番組データ送信手段）
１２４  番組再生制御手段
１２５  ユーザ情報データベース
１３０  番組格納制御部
１３１  画質変換処理手段（予約番組データ取得手段）
１３２  付加情報処理手段（予約番組付加情報取得手段）
１３３  番組格納制御手段（番組格納手段、録画済み予約削除手段）
２００  番組録画システム
２０１ａ  ユーザ端末
２０１ｂ  ユーザ端末
３００  番組録画システム
４００  番組録画システム
１２５１  基本設定データベース
１２５２ａ  ユーザ別録画予約番組リストデータ
１２５２ｂ  ユーザ別録画予約番組リストデータ
１２５３ａ  ユーザ別保有番組リストデータ
１２５３ｂ  ユーザ別保有番組リストデータ
【発明を実施するための最良の形態】
【００２３】
以下、図面を参照して、本発明に係る実施形態について説明する。【００２４】
〔第１の実施形態〕
図１は第１の実施形態に係る番組録画システム１００の構成を示すブロック図である。【００２５】
図１に示すように、本実施形態に係る番組録画システム１００は、放送番組を受信し録画する番組録画装置１０と、番組の録画予約や再生を行う複数のユーザ端末からなるユーザ端末群２０と、インターネット或いはその他のネットワーク３０と、を備えて構成されている。【００２６】
なお、ユーザ端末群２０に含まれるユーザ端末の数は任意であるが、本実施形態では、簡単のため、ユーザ端末２０１ａ及び２０１ｂの２つのユーザ端末がユーザ端末群２０に含まれるものとする。【００２７】
また、ユーザ端末２０１ａのユーザをユーザＡ、ユーザ端末２０１ｂのユーザをユーザＢと、それぞれ称することとする。【００２８】
ユーザ端末２０１ａ、２０１ｂは、ネットワーク３０を介して番組録画装置１０との間で通信を行う機能を有している。【００２９】
ユーザ端末２０１ａ、２０１ｂは、番組録画システム１００から送信される番組データを用いて、その番組を視聴する機能を有する各種の端末装置である。【００３０】
なお、ユーザ端末２０１ａ、２０１ｂは、放送局などから放送番組を直接受信して視聴するためのチューナー機能は、有していても良いし、有していなくても良い。【００３１】
ユーザ端末２０１ａ、２０１ｂの具体例としては、例えば、いわゆるテレビ装置（に付属するセットトップボックス）の他、ＰＣ（Ｐｅｒｓｏｎａｌ  Ｃｏｍｐｕｔｅｒ）、携帯電話機などが挙げられる。【００３２】
また、番組録画装置１０も、ネットワーク３０を介して各ユーザ端末２０１ａ、２０１ｂとの間で通信を行う機能を有している。【００３３】
この番組録画装置１０は、録画に関する制御を行う録画制御部１１０と、各ユーザ毎のデータ管理や録画及び再生に関する制御を行うユーザ制御部１２０と、放送番組のデータを格納する際にそのデータに関する各種の処理を行う番組格納制御部１３０と、を備えて構成されている。【００３４】
このうち録画制御部１１０は、放送受信記録手段１１１と、蓄積番組データベース１１３と、番組表情報データベース１１４と、番組付加情報データベース１１５と、を備えて構成されている。【００３５】
放送受信記録手段（放送受信手段としての機能を有する）１１１は、放送局などから放送される放送番組を受信し、該受信した放送番組を蓄積番組データベース（放送番組蓄積手段）１１３に記録する。【００３６】
更に、放送受信記録手段１１１は、放送局などから送信される番組表情報を受信し、該受信した番組表情報を番組表情報データベース１１４へ記録する。番組表情報とは、番組表の情報のことである。【００３７】
更に、放送受信記録手段１１１は、放送局などから送信される番組付加情報を受信し、該受信した番組付加情報を番組付加情報データベース（番組付加情報蓄積手段）１１５に記録する。【００３８】
なお、番組付加情報としては、例えば、複数種類の中から選択可能な音声、複数種類の中から選択可能な字幕、番組の出演者、番組の撮影場所、番組に使用されている音楽の曲名、番組の演出家や脚本家、番組に含まれるシーンの画像、番組に含まれるシーンの動画（及び音声）、番組内で使用されている物（商品、小道具など）、音声による番組のあらすじである音声あらすじ、文字による番組のあらすじである文字あらすじの各情報といったように、番組に関連する様々な付加情報が含まれる。【００３９】
ここで、番組表情報及び番組付加情報は、デジタル放送のように放送番組に多重化されていることが好ましいが、これに限らず、例えば、放送受信記録手段１１１がネットワーク３０を介して番組情報サーバ（図示略）からダウンロードすることにより取得してもよい。【００４０】
ユーザ制御部１２０は、ユーザ別保有番組データベース１２１と、ユーザ情報データベース１２５と、ユーザに関する管理などを行うユーザ管理手段１２２と、番組予約に関する制御を行う番組予約制御手段１２３と、番組の再生に関する制御を行う番組再生制御手段１２４と、を備えて構成されている。【００４１】
このうちユーザ別保有番組データベース１２１は、個々のユーザ毎に、ユーザ別保有番組データを記憶保持する。すなわち、ユーザ別保有番組データベース１２１は、例えば、ユーザＡ用のユーザ別保有番組データ１２１ａと、ユーザＢ用のユーザ別保有番組データ１２１ｂと、を記憶保持する。【００４２】
ユーザ別保有番組データ１２１ａには、ユーザＡが録画予約をした放送番組のデータ（番組データ）と、その放送番組に関する番組付加情報（換言すれば、その番組データに対応する番組付加情報）と、が含まれる。【００４３】
同様に、ユーザ別保有番組データ１２１ｂには、ユーザＢが録画予約をした放送番組のデータと、その放送番組に関する番組付加情報と、が含まれる。【００４４】
また、ユーザ情報データベース１２５は、例えば、個々のユーザ毎に予め設定された基本設定データを記憶保持する基本設定データベース１２５１と、個々のユーザ毎の録画予約番組のリストを示すユーザ別録画予約番組リストデータ１２５２ａ、１２５２ｂと、個々のユーザ毎の保有番組（そのユーザ用に録画した番組）のリストを示すユーザ別保有番組リストデータ１２５３ａ、１２５３ｂと、を記憶保持する。【００４５】
ユーザにより録画予約された番組の番組データを番組格納制御部１３０がユーザ別保有番組データベース１２１に格納するに際しては、基本設定データベース１２５１に記憶された該当ユーザの基本設定データに従って、画質を選択したり、番組データと併せて保存する番組付加情報を選択したりする。【００４６】
図２は基本設定データベース１２５１の記憶内容の一例を示す図である。【００４７】
図２に示すように、基本設定データとしては、例えば、録画番組における画質設定を示す画質設定データ（図２の「録画画質」の欄のデータ）と、録画番組における字幕表示の種別及び有無を示す字幕設定データ（図２の「字幕表示」の欄のデータ）と、録画番組における音声の種別を示す音声種別データ（図２の「音声」の欄のデータ）と、録画番組におけるその他の（字幕や音声以外の）番組付加情報の種別及び有無を示すその他付加情報設定データ（図２の「その他付加情報」の欄のデータ）と、が含まれる。【００４８】
なお、字幕設定データ、音声種別データ、及び、その他付加情報設定データが、所要番組付加情報に相当する。【００４９】
録画画質としては、例えば、高画質、標準画質、低画質の中から選択して設定できるようになっている。【００５０】
また、字幕表示としては、例えば、日本語、英語、無の中から選択して設定できるようになっている。【００５１】
また、音声については、通常音声又は詳細音声（例えば副音声などを含むような詳細な音声）の何れかを選択して設定できるようになっている。【００５２】
また、その他付加情報については、例えば、番組の出演者、番組の撮影場所、番組に使用されている音楽、番組の演出家や脚本家、番組に含まれるシーンの画像、番組に含まれるシーンの動画（及び音声）、番組内で使用されている物（商品、小道具など）、音声による番組のあらすじである音声あらすじ、文字による番組のあらすじである文字あらすじの、それぞれの要否を設定できるようになっている。【００５３】
図２の例では、ユーザＡの基本設定データとしては、例えば、録画画質が「標準（標準画質）」、字幕表示が「日本語」、音声が「通常（通常画質）」、その他付加情報は番組内で使用される商品の情報である「番組内使用商品情報」が設定されている。【００５４】
また、ユーザＢの基本設定データとしては、例えば、録画画質が「低（低画質）」、字幕表示が「無」、音声が「詳細（詳細音声）」、その他付加情報は「音声あらすじ」が設定されている。【００５５】
図３はユーザ別録画予約番組リストデータの一例を示す図である。【００５６】
図３に示すように、ユーザ別録画予約番組リストデータには、該当するユーザにより登録された録画予約に関するデータ（以下、録画予約情報）が、個々の予約毎に記録されている。【００５７】
すなわち、ユーザＡのユーザ別録画予約番組リストデータ１２５２ａにはユーザＡにより登録された録画予約情報のリストが記憶され、ユーザＢのユーザ別録画予約番組リストデータ１２５２ｂにはユーザＢにより登録された録画予約情報のリストが記憶される。【００５８】
図３に示すように、録画予約情報には、例えば、録画を行う日（日付）、録画開始時刻（開始時刻）、録画終了時刻（終了時刻）、チャンネル（ＣＨ）、画質設定（画質）、番組タイトル（タイトル）をそれぞれ示す情報が含まれるものとする。【００５９】
ここで、録画予約に際しては、例えば、上記の基本設定データとは別に、画質を設定できるようになっており、その設定内容が録画予約情報（における「画質」の欄）に反映されるようになっている。【００６０】
画質に関しては、ユーザにより録画予約された番組の番組データを番組格納制御部１３０がユーザ別保有番組データベース１２１に格納するに際し、基本設定データベース１２５１に記憶された基本設定データよりも、個々の録画予約情報における設定内容を優先する。【００６１】
図４はユーザ別保有番組リストデータの一例を示す図である。【００６２】
図４に示すように、ユーザ別保有番組リストデータには、該当するユーザ用に録画した番組に関するデータが、個々の番組毎に記録されている。【００６３】
すなわち、ユーザＡのユーザ別保有番組リストデータ１２５３ａにはユーザＡ用に格納した番組を示す保有番組情報のリストが記憶され、ユーザＢのユーザ別保有番組リストデータ１２５３ｂにはユーザＢ用に格納した番組のリストが記憶される。【００６４】
図４に示すように、各保有番組情報には、例えば、録画を行った日（日付）、録画開始時刻（開始時刻）、録画終了時刻（終了時刻）、チャンネル（ＣＨ）、画質設定（画質）、番組タイトル（タイトル）をそれぞれ示す情報が含まれるものとする。【００６５】
また、ユーザ管理手段１２２は、ユーザ情報データベース１２５への基本設定データ及び保有番組情報の登録・更新・削除と、ユーザ別保有番組データベース１２１への番組データ及びその付加情報の登録・削除と、を行う。【００６６】
更に、ユーザ管理手段１２２は、番組録画装置１０がユーザ端末２０１ａ、２０１ｂとの間で通信を行う際のインタフェースとしての機能を担う。その機能には、ユーザ管理手段１２２がユーザ端末２０１ａ、２０１ｂからの接続を受け付けた際に、録画や番組再生に関する処理を実行するためのプログラムやデータを各ユーザ端末２０１ａ、２０１ｂに対して送信する機能も含まれる。【００６７】
番組予約制御手段１２３は、ユーザ管理手段１２２を介してユーザ端末２０１ａ、２０１ｂから録画予約を受けた番組をユーザ情報データベース１２５のユーザ別録画予約番組リストデータ１２５２ａ、１２５２ｂへ登録する処理を行う他、番組表情報データベース１１４に記憶されている番組表情報を各ユーザ端末２０１ａ、２０１ｂに送信する処理を行う。【００６８】
番組再生制御手段１２４は、各ユーザ端末２０１ａ、２０１ｂからの視聴要求（番組再生要求）に応じて、ユーザ別保有番組データベース１２１に記憶されたユーザ別保有番組データ１２１ａ、１２１ｂをユーザ管理手段１２２を介して各ユーザ端末２０１ａ、２０１ｂに送信する処理を行う。【００６９】
また、番組格納制御部１３０は、ユーザ毎に録画予約された番組の番組データの画質変換を行う画質変換処理手段１３１と、ユーザ毎に録画予約された番組の付加情報を抽出する処理を行う付加情報処理手段１３２と、画質変換後の番組データと抽出された付加情報とを対応付けてユーザ別保有番組データベース１２１に格納する番組格納制御手段１３３と、を備えて構成されている。【００７０】
このうち番組格納制御手段１３３は、ユーザ情報データベース１２５に含まれるユーザ別録画予約番組リストデータ１２５２ａ、１２５２ｂに従い、録画予約された番組の番組データの画質変換を行わせる指令を画質変換処理手段１３１に対して行う一方で、その番組データと対応する付加情報を抽出する処理を行わせる指令を付加情報処理手段１３２に対して行う。【００７１】
画質変換処理手段１３１は、番組格納制御手段１３３からの指令を受けると、録画画予約と対応する番組データを蓄積番組データベース１１３から選択的に読み出す処理と、該読み出した番組データの画質を、ユーザにより指定された画質設定に従って変換する処理と、を行う。つまり、画質変換処理手段１３１は、予約番組データ取得手段としての機能を有する。【００７２】
また、付加情報処理手段１３２は、番組格納制御手段１３３からの指令を受けると、ユーザ情報データベース１２５に記憶されているユーザ毎の付加情報の設定に従い、番組付加情報データベース１１５から付加情報を選択的に読み出す処理を行う。つまり、付加情報処理手段１３２は、予約番組付加情報取得手段としての機能を有する。【００７３】
番組格納制御手段１３３は、画質変換処理手段１３１による画質変換後の番組データと、付加情報処理手段１３２により読み出された付加情報と、を対応付けて、ユーザ別保有番組データベース１２１内の該当するユーザのユーザ別保有番組データに格納する。つまり、番組格納制御手段１３３は、番組格納手段としての機能を有する。【００７４】
なお、画質変換処理手段１３１は、番組格納制御手段１３３からの指令を受けると、録画予約と対応する番組データを蓄積番組データベース１１３から選択的に読み出す処理と、該読み出した番組データの画質を、ユーザにより指定された画質設定に従って変換する処理と、該変換後の番組データをユーザ別保有番組データベース１２１内の該当するユーザのユーザ別保有番組データに格納する処理と、を行うようにしても良い。同様に、付加情報処理手段１３２は、番組格納制御手段１３３からの指令を受けると、ユーザ情報データベース１２５に記憶されているユーザ毎の付加情報の設定に従い、番組付加情報データベース１１５から付加情報を選択的に読み出す処理と、該読み出した番組付加情報をユーザ別保有番組データベース１２１内の該当するユーザのユーザ別保有番組データに格納する処理と、を行うようにしても良い。この場合、画質変換処理手段１３１は、予約番組データ取得手段としての機能と、番組格納手段における一部の機能と、を兼ね備えるものとなり、付加情報処理手段１３２は、予約番組付加情報取得手段としての機能と、番組格納手段における残りの部分の機能と、を兼ね備えるものとなる。【００７５】
次に、本実施形態の全体の動作について詳細に説明する。【００７６】
先ず、番組録画装置１０の録画制御部１１０では、その放送受信記録手段１１１が、放送局などから放送される番組の番組データを受信し、蓄積番組データベース１１３へ記憶させる（録画する）。【００７７】
なお、放送受信記録手段１１１は、録画可能な全ての放送番組の番組データを蓄積番組データベース１１３へ録画するものとする。【００７８】
ここで、番組データを受信し、蓄積番組データベース１１３へ記憶させる処理は、例えば、１つの番組の番組データを時系列的に細分化した各々のブロック毎に、その時系列順に行うこととする。【００７９】
すなわち、例えば、個々のブロックの番組データの時間の長さ（視聴時間の長さ）が１分である場合に、全体の長さが６０分の番組の番組データを記憶させるケースについて説明すると、番組データの個々のブロック（それぞれ視聴時間が１分）を、時系列順に６０個だけ順次に蓄積番組データベース１１３へ記憶させることとなる。【００８０】
また、放送受信記録手段１１１は、放送局などから随時に送信される最新の番組表情報を受信し、該受信した最新の番組表情報を番組表情報データベース１１４へ記憶させる処理も行う。【００８１】
また、放送受信記録手段１１１は、放送局などから送信される番組付加情報を受信し、該受信した番組付加情報を番組付加情報データベース１１５へ記憶させる処理も行う。【００８２】
番組付加情報を受信し、番組付加情報データベース１１５へ記憶させる処理についても、番組データの場合と同様に、例えば、１つの番組の番組付加情報を時系列的に細分化した各々のブロック毎に、その時系列順に行うこととする。【００８３】
なお、付加情報のうち、時系列的に細分化するのは、音声情報や字幕情報などであり、時系列的に細分化するのに適さない付加情報（例えば、出演者、撮影場所、番組に使用されている音楽の曲名、演出家、脚本家、シーンの画像、シーンの動画、番組内で使用されている物、音声あらすじ、文字あらすじなど）については、一括して受信及び番組付加情報データベース１１５への記憶を行うと良い。【００８４】
こうして、蓄積番組データベース１１３には、録画可能な全ての番組データが蓄積され、番組表情報データベース１１４には随時に番組表情報が蓄積され、番組付加情報データベース１１５には番組付加情報が蓄積される。【００８５】
また、ユーザ情報データベース１２５には、予め各ユーザ端末２０１ａ、２０１ｂからの登録要求に応じてユーザ管理手段１２２が登録した基本設定データベース１２５１（図２）が記憶されている。つまり、ユーザ管理手段１２２は、所要番組付加情報記憶管理手段としての機能を有する。【００８６】
次に、ユーザ（例えばユーザＡ）が番組の録画予約を行う際の動作を説明する。【００８７】
図５はユーザＡが番組の録画予約を行う際の処理の流れを示すフローチャートであり、図６はユーザ端末２０１ａにおいて表示されるメニュー画面の一例を示す図である。【００８８】
先ず、ユーザＡが番組の録画予約を行うために、ユーザ端末２０１ａに対して所定の操作を行い、この操作を受けたユーザ端末２０１ａは、ネットワーク３０を介して番組録画装置１０にアクセスする（接続する）。この接続を受けた番組録画装置１０のユーザ管理手段１２２は、録画や番組再生に関する処理を実行するためのプログラム及びデータ（図６に示すメニュー画面表示用のデータを含む）を、ネットワーク３０を介してユーザ端末２０１ａに送信する。ユーザ端末２０１ａは、番組録画装置１０から送信されたプログラム及びデータを受信すると、そのプログラムに従って、例えば図６に示すようなメニュー画面を、該ユーザ端末２０１ａが備える表示部の表示画面に表示する（ステップＳ１０１）。【００８９】
ここで、図６に示すように、メニュー画面においては、例えば、「録画予約」と「番組再生」とをユーザが操作により選択できるようになっている。【００９０】
次に、ユーザＡがユーザ端末２０１ａに表示されているメニュー画面から録画予約を選択すると（ステップＳ１０２）、ユーザ端末２０１ａは、その選択の旨を示す指令データ（以下、録画指令データ）を、ネットワーク３０を介して番組録画装置１０に送信する。その後、番組録画装置１０のユーザ管理手段１２２は、ユーザ端末２０１ａから送信された録画指令データを受信すると、番組表情報データベース１１４から番組表情報を取得する処理を番組予約制御手段１２３に行わせ、該取得した番組表情報をネットワーク３０を介してユーザ端末２０１ａに送信する。ユーザ端末２０１ａは、番組録画装置１０から番組表情報を受信すると、該番組表情報に従って、該ユーザ端末２０１ａの表示部に番組表を表示する（ステップＳ１０３）。【００９１】
次に、ユーザＡが、ユーザ端末２０１ａに表示されている番組表から録画したい番組を選択する操作をユーザ端末２０１ａに対して行うと（ステップＳ１０４）、ユーザ端末２０１ａは、選択された番組を指定するデータ（以下、録画番組指定データ）を、ネットワーク３０を介して番組録画装置１０に送信する。その後、番組録画装置１０のユーザ管理手段１２２は、ユーザ端末２０１ａから送信された録画番組指定データを受信すると、その録画番組指定データをユーザＡから送信されたものとして番組予約制御手段１２３へ通知する。この通知を受けた番組予約制御手段１２３は、通知された録画番組指定データにより指定される番組の番組予約情報を、ユーザ情報データベース１２５内のユーザＡのユーザ別録画予約番組リストデータ１２５２ａ（図３）に追加する。こうして、録画予約の処理は完了する（ステップＳ１０５）。なお、番組予約制御手段１２３は、録画予約記憶管理手段として機能する。【００９２】
なお、上述のように、録画予約に際しては、基本設定データとは別に、ユーザの操作に応じて画質を設定できるようになっており、その設定内容がユーザ別録画予約番組リストデータ１２５２ａ（図３）の録画予約情報における「画質」の欄に反映される。【００９３】
次に、番組格納制御部１３０が、録画予約に応じて番組データ及び付加情報をユーザ別保有番組データベース１２１内のユーザ別保有番組データ１２１ａ、１２１ｂに格納する動作の流れを図７のフローチャートを用いて説明する。【００９４】
番組格納制御部１３０は、以下に説明するように、ユーザ情報データベース１２５内のユーザ別録画予約番組リストデータ１２５２ａ（図３）に記憶された録画予約に従い、蓄積番組データベース１１３内の番組データ及び番組付加情報データベース１１５内の付加情報を、ユーザ別保有番組データベース１２１内のユーザ別保有番組データ１２１ａ、１２１ｂに記録する。【００９５】
ここで、番組データ及び番組付加情報を蓄積番組データベース１１３及び番組付加情報データベース１１５内より抽出し、該抽出した番組データ及び付加情報をユーザ別保有番組データベース１２１へ格納する処理は、１つの番組の全体の番組データ及び付加情報について一括して行うのであっても良いが、本実施形態の場合、１つの番組の番組データ及び付加情報を、上述のように時系列的に細分化した各々のブロック毎に行うこととする。【００９６】
なお、付加情報のうち、時系列的に細分化するのに適さない付加情報（例えば、出演者、撮影場所、番組に使用されている音楽の曲名、演出家、脚本家、シーンの画像、シーンの動画、番組内で使用されている物、音声あらすじ、文字あらすじなど）については、一括して番組付加情報データベース１１５内より抽出し、ユーザ別保有番組データベース１２１へ格納すると良い。【００９７】
先ず、番組格納制御部１３０の番組格納制御手段１３３は、ユーザ情報データベース１２５内のユーザ別録画予約番組リストデータ（図３）に含まれる録画予約情報のうち、その録画予約と対応する番組データをユーザ別保有番組データベース１２１へ格納可能である録画予約情報を検索する（ステップＳ１１１）。【００９８】
ここで番組データをユーザ別保有番組データベース１２１へ格納可能な録画予約情報とは、蓄積番組データベース１１３への番組データの記憶処理（録画）が開始され、時系列的に細分化されたブロックのうちの少なくとも先頭のブロック（例えば、最初の１分の番組データ）が既に蓄積番組データベース１１３へ記憶済みの番組の録画予約情報である。【００９９】
ユーザ別保有番組データベース１２１へ番組情報を格納可能な録画予約情報が存在しない場合は（ステップＳ１１２のＮｏ）、再び検索処理（ステップＳ１１１）に戻る。【０１００】
なお、ユーザ別保有番組データベース１２１へ番組データを格納する処理時間よりも、蓄積番組データベース１１３へ番組データを格納する処理時間の方が長い場合は、ユーザ別保有番組データベース１２１へ番組データを格納する処理が、蓄積番組データベース１１３へ番組データを格納する処理に追いつくこととなるので、１つの番組の番組データをユーザ別保有番組データベース１２１に格納する処理を行う過程において、ステップＳ１１２の判定がＹｅｓとなったりＮｏとなったりを繰り返しながら、徐々に番組データをブロック毎にユーザ別保有番組データベース１２１に格納していくことになる。【０１０１】
また、ユーザ別保有番組データベース１２１へ番組情報を格納可能な録画予約情報が存在する場合は（ステップＳ１１２のＹｅｓ）、番組格納制御手段１３３は、その録画予約情報と対応するユーザの基本設定データ（図２参照）における画質設定データ、字幕データ、音声データ及び付加情報設定データを、ユーザ情報データベース１２５より読み出す（ステップＳ１１３）。【０１０２】
ここで、番組格納制御手段１３３は、録画予約情報において画質設定がなされているか否かを判定し、なされていれば、画質設定としては、基本設定データ（図２）における設定ではなく、録画予約情報における画質設定を選択する。また、録画予約情報において画質設定がなされていなければ、基本設定データ（図２）における画質設定を選択する。【０１０３】
続いて、番組格納制御手段１３３は、録画予約情報に対応する番組（格納する番組）を指定する情報（以下、格納番組指定データ）と、選択した画質設定データ（基本設定データにおける画質設定データ、又は録画予約情報における画質設定データ）と、を画質変換処理手段１３１へ通知する。また、番組格納制御手段１３３は、格納番組指定データと、該当するユーザの付加情報設定データと、を付加情報処理手段１３２へ通知する（ステップＳ１１４）。【０１０４】
画質変換処理手段１３１は、通知された格納番組指定データに対応する番組データのブロックのうち、ユーザ別保有番組データベース１２１に未だ格納されていないブロックの中で先頭のブロックを蓄積番組データベース１１３内より抽出し、該抽出した番組データに対して、通知された画質設定データに従って画質を変換する処理を行う。また、番組格納制御手段１３３は、画質変換処理手段１３１による画質変換処理後の番組データをユーザ別保有番組データベース１２１へ格納する（ステップＳ１１５）。【０１０５】
また、付加情報処理手段１３２は、通知された格納番組指定データ及び付加情報設定データに従い、番組付加情報データベース１１５から該当する付加情報の読み出しを行う。すなわち、通知された格納番組指定データ及び付加情報設定データに対応する付加情報のブロックのうち、ユーザ別保有番組データベース１２１に未だ格納されていないブロックの中で先頭のブロックを番組付加情報データベース１１５から抽出する。また、番組格納制御手段１３３は、付加情報処理手段１３２により読み出された付加情報をユーザ別保有番組データベース１２１へ格納する（ステップＳ１１６）。ここで、番組格納制御手段１３３は、付加情報を番組データと対応付けてユーザ別保有番組データベース１２１へ格納する。【０１０６】
続いて、番組格納制御手段１３３は、１つの番組予約情報について、番組データ及び付加情報の全体をユーザ別保有番組データベース１２１へ格納したか否かを判定する。すなわち、１つの番組予約情報に対応する番組について、全てのブロックの番組データ及び全てのブロックの付加情報をユーザ別保有番組データベース１２１へ格納したか否かを判定する（ステップＳ１１７）。【０１０７】
１つの番組予約情報について番組データ及び付加情報の全体は未だユーザ別保有番組データベース１２１へ格納していなければ（ステップＳ１１７のＮｏ）、図７の処理を一旦終了した後、所定周期時間の経過後に再び図７の処理をステップＳ１１１から行う。【０１０８】
他方、１つの番組予約情報について番組データ及び付加情報の全体を既にユーザ別保有番組データベース１２１へ格納していれば（ステップＳ１１７のＹｅｓ）、ステップＳ１１８に移行する。【０１０９】
ステップＳ１１８では、番組格納制御手段１３３は、ユーザ情報データベース１２５のユーザ別録画予約番組リストデータから先のステップＳ１１５にて番組データを格納した番組の録画予約情報を削除する一方で、その番組を保有番組としてユーザ別保有番組リストデータに追加し、図７の処理を一旦終了した後、所定周期時間の経過後に再び図７の処理をステップＳ１１１から行う。ここで、番組格納制御手段１３３は、録画済み予約削除手段として機能する。【０１１０】
このように、本実施形態に係る番組録画方法は、放送番組の番組データを受信する第１の過程と、第１の過程により受信した番組データを放送番組蓄積手段１１３に記憶させる第２の過程と、受信した番組データと対応する番組付加情報を番組付加情報蓄積手段１１５に記憶させる第３の過程と、ユーザ毎の録画予約と対応する番組データを放送番組蓄積手段１１３から取得する第４の過程と、ユーザ毎の録画予約と対応する番組付加情報のうち、録画予約と対応するユーザが必要とする番組付加情報を番組付加情報蓄積手段１１５から取得する第５の過程と、第４の過程により取得した番組データと、第５の過程により取得した番組付加情報と、をユーザ毎にユーザ別保有番組データベース１２２に格納する第６の過程と、を備える。【０１１１】
また、本実施形態に係るプログラムは、受信した番組データを放送番組蓄積手段１１３に記憶する第１の処理と、受信した番組データと対応する番組付加情報を番組付加情報蓄積手段１１５に記憶する第２の処理と、ユーザ毎の録画予約と対応する番組データを放送番組蓄積手段１１３から取得する第３の処理と、ユーザ毎の録画予約と対応する番組付加情報のうち、録画予約と対応するユーザが必要とする番組付加情報を番組付加情報蓄積手段１１５から取得する第４の処理と、第３の処理により取得した番組データと、第４の処理により取得した番組付加情報と、をユーザ毎にユーザ別保有番組データベース１２２に格納する第５の処理と、をコンピュータに実行させることを特徴とする。このプログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。【０１１２】
次にユーザ端末２０１ａにおいて番組を再生する処理の流れを図８のフローチャートを用いて説明する。【０１１３】
先ず、ユーザＡが番組を再生するために、ユーザ端末２０１ａに対して所定の操作を行い、この操作を受けたユーザ端末２０１ａは、ネットワーク３０を介して番組録画装置１０にアクセスする（接続する）。この接続を受けた番組録画装置１０のユーザ管理手段１２２は、録画や番組再生に関する処理を実行するためのプログラム及びデータ（図６に示すメニュー画面表示用のデータを含む）を、ネットワーク３０を介してユーザ端末２０１ａに送信する。ユーザ端末２０１ａは、番組録画装置１０から送信されたプログラム及びデータを受信すると、そのプログラムに従って、例えば図６に示すようなメニュー画面を、該ユーザ端末２０１ａが備える表示部の表示画面に表示する（ステップＳ１２１）。図６に示すように、メニュー画面においては、例えば、「録画予約」と「番組再生」とをユーザが操作により選択できるようになっている。【０１１４】
次に、ユーザＡがユーザ端末２０１ａに表示されているメニューから番組再生を選択すると（ステップＳ１２２）、ユーザ端末２０１ａは、その選択の旨を示す指令データ（以下、番組再生指令データ）を、ネットワーク３０を介して番組録画装置１０に送信する。その後、番組録画装置１０のユーザ管理手段１２２は、ユーザ端末２０１ａから送信された録画指令データを受信すると、番組再生制御手段１２４に指令を送信し、ユーザ情報データベース１２５からユーザ別保有番組リストデータ１２５３ａを取得させる。続いて、ユーザ管理手段１２２は、番組再生制御手段１２４が取得したユーザ別保有番組リストデータ１２５３ａをネットワーク３０を介してユーザ端末２０１ａに送信する。ここで、番組再生制御手段１２４及びユーザ管理手段１２２は、保有番組リスト送信手段として機能する。ユーザ端末２０１ａは、ユーザ別保有番組リストデータ１２５３ａを受信すると、このユーザ別保有番組リストデータ１２５３ａに従って、再生可能な番組の一覧（再生可能番組一覧）をその表示部に表示する（ステップＳ１２３）。【０１１５】
次に、ユーザＡがユーザ端末２０１ａに表示された再生可能番組一覧から再生したい番組を選択すると（ステップＳ１２４）、ユーザ端末２０１ａは、その選択の旨を示す指令データ（以下、再生番組指令データ）を、ネットワーク３０を介して番組録画装置１０に送信する。その後、番組録画装置１０のユーザ管理手段１２２は、ユーザ端末２０１ａから送信された再生番組指令データを受信すると、この再生番組指令データを番組再生制御手段１２４へ通知する。この通知を受けた番組再生制御手段１２４は、再生番組指令データにより指定されている番組と対応する番組データ及び付加情報を、ユーザ別保有番組データベース１２１のユーザ別保有番組データ１２１ａ内より取得し、該取得した番組データ及び付加情報をユーザ管理手段１２２を介してユーザ端末２０１ａへ送信する（ステップＳ１２５）。ここで、番組再生制御手段１２４及びユーザ管理手段１２２は、番組データ送信手段として機能する。【０１１６】
ユーザ端末２０１ａは、番組録画装置１０から番組データ及びその付加情報を受信すると、その番組データを用いて番組を再生する。この際に、付加情報に含まれる音声情報や字幕情報も併せて再生したり、その他の付加情報（例えば、番組内使用商品情報）を表示したりする（ステップＳ１２６）。【０１１７】
以上のような第１の実施形態によれば、番組録画装置１０は、放送番組の番組データを受信する放送受信記録手段１１１と、受信した番組データを記憶する蓄積番組データベース１１３と、受信した番組データと対応する番組付加情報を記憶する番組付加情報データベース１１５と、個々のユーザ毎に、番組の録画予約と、必要とする番組付加情報の種別を示す所要番組付加情報と、を記憶するユーザ情報データベース１２５と、個々のユーザ毎に、番組データ及びその番組付加情報を記憶するユーザ別保有番組データベース１２１と、ユーザ情報データベース１２５に記憶された録画予約と対応する番組データを蓄積番組データベース１１３から取得する画質変換処理手段１３１と、ユーザ情報データベース１２５に記憶された録画予約と対応し、且つ、ユーザ情報データベース１２５に記憶された所要番組付加情報と対応する番組付加情報を番組付加情報データベース１１５から取得する付加情報処理手段１３２と、画質変換処理手段１３１により取得した番組データと、付加情報処理手段１３２により取得した番組付加情報と、をユーザ別保有番組データベース１２１に格納する番組格納制御手段１３３と、を備える（図９）。これにより、ユーザ毎の録画予約情報とは関係なく、録画可能な全ての放送番組の番組データと、録画した番組の付加情報と、を蓄積した上で、ユーザ毎の基本設定データ及び録画予約情報に従って、番組データ及び付加情報をユーザ毎に格納するので、ユーザが希望する番組データ及びその番組付加情報の保有および提供を行うことができる。【０１１８】
〔第２の実施形態〕
図１０は第２の実施形態に係る番組録画システム２００の構成を示すブロック図である。【０１１９】
上記の第１の実施形態においては、録画制御部１１０、ユーザ制御部１２０及び番組格納制御部１３０を備える番組録画装置１０が、ネットワーク３０を介してユーザ端末２０１ａ、２０１ｂと通信を行う例を説明したが、第２の実施形態では、図１０に示すように、録画制御部１１０と、ユーザ制御部１２０と、番組格納制御部１３０のそれぞれがネットワーク３０を介して接続する形態をとる。【０１２０】
本実施形態の場合、録画制御部１１０が第１部分に、ユーザ制御部１２０が第２部分に、番組格納制御部１３０が第３部分に、それぞれ相当する。【０１２１】
第１の実施形態と第２の実施形態における動作の違いは、録画制御部１１０と、ユーザ制御部１２０と、番組格納制御部１３０の間で通信やデータの交換を行う際に、ネットワーク３０を経由することだけであり、そのほかの動作に関して相違はないため、詳細な説明は省略する。【０１２２】
第２の実施形態によれば、録画制御部１１０と、ユーザ制御部１２０と、番組格納制御部１３０の全てを同一の場所に設置する必要がなくなる。【０１２３】
〔第３の実施形態〕
図１１は第３の実施形態に係る番組録画システム３００の構成を示すブロック図である。【０１２４】
上記の第２の実施形態では、録画制御部１１０と、ユーザ制御部１２０と、番組格納制御部１３０の相互間でネットワーク３０を介して通信やデータの交換を行う例を説明したが、第３の実施形態では、例えば、図１１に示すように、録画制御部１１０、ユーザ制御部１２０及び番組格納制御部１３０のうち、録画制御部１１０だけは、ユーザ制御部１２０及び番組格納制御部１３０からなるユーザ制御・番組格納制御部４０との間でネットワーク３０を介して通信やデータの交換を行う形態をとる。【０１２５】
また、本実施形態の場合、ユーザ制御部１２０は、ネットワーク３０を介さずにユーザ端末２０１ａ、２０１ｂとの間で通信を行う。【０１２６】
本実施形態の場合、録画制御部１１０が第１部分に、ユーザ制御・番組格納制御部４０が第２部分に、それぞれ相当する。【０１２７】
第３の実施形態によれば、具体的には、例えば、録画制御部１１０、ユーザ制御部１２０及び番組格納制御部１３０のうち、録画制御部１１０だけはデータセンターなどに設置し、ユーザ制御部１２０と番組格納制御部１３０とからなるユーザ制御・番組格納制御部４０はユーザ拠点に設置することが可能となる。【０１２８】
〔第４の実施形態〕
図１２は第４の実施形態に係る番組録画システム４００の構成を示すブロック図である。【０１２９】
上記の第３の実施形態では、ユーザ端末群２０が１つであり、ユーザ制御部１２０と番組格納制御部１３０とからなるユーザ制御・番組格納制御部４０も１つである例を説明したが、第４の実施形態の場合の番組録画システム４００は、ユーザ制御・番組格納制御部４０を複数（ｎ個）備え、各ユーザ制御・番組格納制御部４０毎にユーザ端末群２０が対応している形態をとる。【０１３０】
第４の実施形態によれば、ユーザ制御部１２０を複数（ｎ個）備えるので、多くのユーザの基本設定データ、録画予約情報及び保有番組情報を記憶することが出来るため、大規模な構成にも対応可能となる。【０１３１】
この出願は、２００８年３月４日に出願された日本出願特願２００８−０５３１０６を基礎とする優先権を主張し、その開示の全てをここに取り込む。
【産業上の利用可能性】
【０１３２】
本発明は、番組録画装置、ユーザ端末、番組録画システム、番組録画方法及びその記録媒体に適用できる。
【図１】
0005472090.tif 000002
【図２】
0005472090.tif 000003
【図３】
0005472090.tif 000004
【図４】
0005472090.tif 000005
【図５】
0005472090.tif 000006
【図６】
0005472090.tif 000007
【図７】
0005472090.tif 000008
【図８】
0005472090.tif 000009
【図９】
0005472090.tif 000010
【図１０】
0005472090.tif 000011
【図１１】
0005472090.tif 000012
【図１２】
0005472090.tif 000013